(57)【要約】【課題】本発明は、仮設計画図支援システムに関し、従来では、作図データの転用をしても全く同形状にしか使えず、データの修正に多大な時間が掛かることが課題であって、それを解決することである。【解決手段】仮設計画図の作成に使用される支援システムであって、作図プログラムソフトがインストールされている制御装置と、該制御装置と入出力される部材データを記憶する記憶装置と、前記制御装置に接続された表示装置と、前記制御装置に接続された入力装置とを少なくとも有してなり、前記部材データは、仮設用に作図するのに必要な機能を有する機能付きデータであるとともに、作図目的の部材と他の部材とが作図に必要な組合わせでユニット化されてなるユニットデータであるとした仮設計画図支援システム１とする。【選択図】図１−Ａ
2018018247.tif 000002
【特許請求の範囲】
【請求項１】
仮設計画図の作成に使用される支援システムであって、
作図プログラムソフトがインストールされている制御装置と、該制御装置と入出力される部材データを記憶する記憶装置と、前記制御装置に接続された表示装置と、前記制御装置に接続された入力装置とを少なくとも有してなり、
前記部材データは、仮設用に作図するのに必要な機能を有する機能付きデータであるとともに、作図目的の部材と他の部材とが作図に必要な組合わせでユニット化されてなるユニットデータであること、
を特徴とする仮設計画図支援システム。
【請求項２】
部材データは、建築と土木とにおける労働安全衛生規則に沿った規制が設けられていること、
を特徴とする請求項１に記載の仮設計画図支援システム。
【請求項３】
部材データは、その部材の平面図、立面図、断面図、詳細図、説明文書、コストに係る項目が具備されていること、
を特徴とする請求項１または２に記載の仮設計画図支援システム。
【請求項４】
部材データは、足場システム、型枠支保工システム、鉄骨システム、重機システム、掘削システムの各システム毎に具備されていること、
を特徴とする請求項１乃至３のいずれか1項に記載の仮設計画図支援システム。
【発明の詳細な説明】
【技術分野】
【０００１】
本発明は、例えば、Ｃａｄソフト等による建築物の仮設計画図の作成に使用される、仮設計画図支援システムに関するものである。
【背景技術】
【０００２】
建設工事の着工前には、労働安全規則に則り、多くの工種の仮設計画図を作成し、提出する必要がある。従来、市販の図形作成ソフトにおいて、仮設計画図の作図を行う場合には、設計図を読み込み一から作図を行うか、過去に使用した作図データを使用し、これを適宜に転用して作図している。
【０００３】
このような場合、作図データの転用を行わずに仮設計画図の作図を行うと、多大な時間が掛かる。また、過去に作図したデータを用いるにしてもそれを探すのに時間が掛かる。更に、図面の作成後、計画図を基に仮設使用部材を積算するが、それも非常に時間が掛かる。
【０００４】
そこで、特許文献１，２に記載されているように、例えば、タワークレーンの設置検討において、建物データベースと、施工計画情報が記憶された建築材料データベースと、構造計算手段と、安全性を判定する判定手段などを備えて、建設工事におけるタワークレーンの設置検討を行うことができるものが知られている（特許文献１）。
【０００５】
また、仮設材配置計画用の図面作成装置は、柱の位置を設定し、支柱または連結材の割り付けが自動で行えるものであることが知られている（特許文献２）。
【先行技術文献】
【特許文献】
【０００６】
【特許文献１】特開２０１０−７２３７号公報
【特許文献２】特願平１１−３４１３３号（特許第３０４６２９１号）公報
【発明の概要】
【発明が解決しようとする課題】
【０００７】
しかし、従来の仮設計画図支援システムにおいては、部材のデータを手入力しなければならない。また、仮設材の配置計画において割り付けを自動的に行うにしても、仮設の条件を入力手段から逐一入力する必要があり、作図対象が簡易な足場に限定されている。本発明に係る仮設計画図支援システムは、このような課題を解決するために提案されたものである。
【課題を解決するための手段】
【０００８】
本発明に係る仮設計画図支援システムの上記課題を解決して目的を達成するための要旨は、仮設計画図の作成に使用される支援システムであって、作図プログラムソフトがインストールされている制御装置と、該制御装置と入出力される部材データを記憶する記憶装置と、前記制御装置に接続された表示装置と、前記制御装置に接続された入力装置とを少なくとも有してなり、前記部材データは、仮設用に作図するのに必要な機能を有する機能付きデータであるとともに、作図目的の部材と他の部材とが作図に必要な組合わせでユニット化されてなるユニットデータであることである。
【０００９】
前記部材データは、建築と土木とにおける労働安全衛生規則に沿った規制が設けられていることである。
【００１０】
前記部材データは、その部材の平面図、立面図、断面図、詳細図、説明文書、コストに係る項目が具備されていることである。
【００１１】
前記部材データは、足場システム、型枠支保工システム、鉄骨システム、重機システム、掘削システムの各システム毎に具備されていることを含むものである。
【発明の効果】
【００１２】
本発明の仮設計画図支援システムによれば、仮設計画図の作成に当たり、既存データを探す手間が省ける、また、既存データの修正に掛かる手間が省ける。市販の図形ソフトより、平面割付け通りに瞬時に立・断面に変化するなど、容易にシステム化ができて、その修正も容易である。足場システムでは部材の積算も可能であり、費用の見積が簡単にできる。作図業務の効率化による生産性の向上に貢献し、施工計画の標準化を図ることもできると言う優れた効果を奏するものである。
【図面の簡単な説明】
【００１３】
【図１−Ａ】本発明に係る仮設計画図支援システム１の構成とフローを示す全体図である。
【図１−Ｂ】本発明に係る仮設計画図支援システム１における、足場システムの部材に関連する作図の各種マークの説明図（Ａ）、足場の例を示す図（Ｂ）、基本操作のマークが出た状態の図（Ｃ）、操作の一例を示す図（Ｄ）、操作して計画図が完成した状態の図（Ｅ）である。
【図２】同本発明の仮設計画図支援システム１における、足場を例にした図の操作例を示す説明図である。
【図３】同部材の変更があった足場の例を示す説明図である。
【図４】同基本操作における足場の操作例を示す説明図である。
【図５】同足場の立面とそれを断面に操作できることを示す説明図（Ａ），（Ｂ）である。
【図６】同足場システムの一例を操作する説明図である。
【図７】同足場システムにおいて、平面割付したものを立面に反映する操作例を示す、説明図である。
【図８】同足場システムにおける、壁つなぎ平面割付を立面にする説明図である。
【図９】同鉄骨システムにおける、吊足場の平面を複写して柱まわりに配置させた例を示す説明図（Ａ）、選択メニューをクリックする説明図（Ｂ）、柱のコーナーに吊足場を配置して調整する説明図（Ｃ）である。
【図１０】同鉄骨システムにおける部品の平面を複写して選択メニューを表示した説明図（Ａ）、更に、部品の立面状態にラッセルネットおよび転倒防止ワイヤーを調整した状態の説明図（Ｂ）である。
【図１１】同鉄骨システムにおける、部品の立面を複写して、表示した文字を部品の立面に配設した状態の説明図である。
【図１２】同重機システムにおける、部品がラフタークレーンの場合における平面で、アウトリガー、ブームなどの長さ変更の様子を示す説明図（Ａ）、ブーム回転後の様子を示す説明図（Ｂ）である。
【図１３】同重機システムにおいて、部品がラフタークレーンである場合の立面で、選択メニューで立面＋ジブを選択して、主ブームやジブの長さなどを変更した様子の説明図である。
【図１４】同型枠支保工システムにおいて、梁の周囲に型枠を割付し、立面にして表示した説明図（Ａ）、壁周りの型枠を割り付けている様子を示す説明図（Ｂ）である。
【図１５】同型枠支保工システムにおける、根太、サポート等の本数や間隔などの変更による操作を示す説明図である。
【図１６】同型枠支保工システムにおけるスラブ平面の説明図である。
【図１７】同型枠支保工システムにおける、梁・スラブの立面図に割付け平面を複写した説明図（Ａ）、型枠支保工の立面にして表示した説明図（Ｂ）である。
【図１８】同掘削システムにおける、掘削深さのメニューから選択して断面から平面に変更した説明図である。
【図１９】同掘削システムにおける、部品の基点を基礎の左上コーナー（１）に配置して、選択メニューから基礎掘削平面の操作を示す説明図である。
【図２０】同掘削システムにおける、部品を基礎の立面に複写した様子を示す説明図（Ａ）、当該（Ａ）の図面を選択メニューより断面図にした様子を示す説明図（Ｂ）である。
【発明を実施するための形態】
【００１４】
本発明に係る仮設計画図支援システム１は、図１−Ａ、図１−Ｂに示すように、機能付きの部材データ１ｂにより作図を効率的に行うものである。
【実施例１】
【００１５】
仮設計画図の作成に使用される仮設計画図支援システム１として、そのシステムの構成は、図１−Ａに示すように、市販の作図プログラムソフト（例えば、ＡｕｔｏＣＡＤ、その他の相当品）がインストールされている制御装置１ａと、該制御装置１ａと入出力される部材データ１ｂを記憶する記憶装置（図示せず）と、前記制御装置１ａに接続された表示装置であるモニタ（図示せず）と、前記制御装置１ａに接続された入力装置１ｃとを少なくとも有し、更に、出力用の印刷装置１ｄを前記制御装置１ａに接続してなるものである。
【００１６】
前記部材データ１ｂは、足場システム、型枠支保工システム、鉄骨システム、重機システム、掘削システム等の各システム毎に具備されている。
【００１７】
前記部材データ１ｂは、仮設用に作図するのに必要な機能を有する機能付きデータであるとともに、作図目的の部材と他の部材とが作図に必要な組合わせでユニット化されてなるユニットデータである。前記機能とは、例えば、図１−Ｂ（Ａ）〜（Ｅ）に示すように、一つの部材に関する基本操作である、回転（〇）、ストレッチ、配列複写・移動（■）、反転（⇒）、選択メニュー（▼）などがあり、更に、部材のクリックでサイズ、可動範囲、平面、立面、断面に変化させる機能である。
【００１８】
前記部材データ１ｂは、建築と土木とにおける労働安全衛生規則に沿った規制が設けられている。建設分野における、建築と土木との部材に関する、作業上における作業者の安全性、作業環境に対する安全性を確保するためである。
【００１９】
更に、部材データ１ｂの詳細は、その部材の平面図、立面図、断面図、詳細図、説明文書、コスト、に係る項目が具備されている。
【００２０】
前記部材データ１ｂにおける基本操作の具体例として、図２に示すように、例えば、足場の部材をクリックすると、その機能付き部材に登録してある多数の選択メニュー（図示せず）がモニタ画面に表示される。例えば、平面（＠１８００）を選択すると、図２の足場が表示される。
【００２１】
また、図３に示すように、同図左側の図の状態から仮設の方針が変わった時に、その部材全部を選択して、オブジェクトプロパティ管理をクリックして、変更したい部材を選択し、表示される選択メニューの中から、変更したい所を変える。例えば、最上段を、「単管」→「手摺柱」に方針を変更し、ジャッキベースを「Ｈ１００」→「Ｈ２００」に、選択メユーで変えると、図３右側の図に一気に変更される。
【００２２】
また、図４に示すように、足場の立面において、選択メニュー（下）で１段目の足場高さ（Ｈ９３９）を変える。選択メニュー（上）（図示せず）で、最上段の形状（単管、足場板、手摺柱）を決める。更に、上に引っ張って足場の高さ（５段に）を指定し、横に引っ張ってスパン（４スパン）を指定し、ジャッキベースの高さを指定する。すると、図４の左側の図から右側の図に変わるものである。
【００２３】
更に、図５（Ａ），（Ｂ）に示すように、足場側面の立面においても（図５左側の図）、クリック一つで断面図（図５右側の図）に変わるものである。
【００２４】
上記のような作図における部品の基本操作があり、これらは、作図を効率化させるために、その部材の特徴に合わせた選択メニュー（図示せず）が用意されている。そして、以下に、各システムにおける機能付き部材やその他の必要な文字を効率的に配置できるようにしたものを説明する。
【００２５】
図６に示すように、足場の計画図を容易に作成するための足場システムにおいては、機能付き部材やその他必要な部材、文字を入墨・出墨のコーナ毎に配置する。即ち、建物のそれぞれの入墨・出墨に図中で囲っている足場を、建物コーナーを基点４に複写する。その後、機能付き部材である足場をメニューの記号をクリックして配列したり伸ばしたりして、次のコーナーまでの隙間を調整する。
【００２６】
前記足場システムにおける機能付き部材としては、例えば、建枠、ブラケット枠、梯子枠、板布枠、伸縮ブラケット、階段、階段手摺、階段ガード、屋上渡り、シート、壁つなぎ金物、クランプ、足場パイプ、手摺柱、ジャッキベース、隙間ステップなどが、それぞれの、平面、立面、断面、形状に関して多数の種類が用意されている。
【００２７】
次に、図７に示すように、足場システムで平面図の割付が完成したものを立面図にする。図中の機能付き足場の丸文字の１〜５をクリックする。そして、オブジェクトプロパティ管理の選択メニューの各種をクリックする。例えば、選択メニューは、各種（平面、立面１段〜立面３段、立面３段で単管、手摺柱、ブラケット２段など、）である。そこで、各種の立面３段をクリックすると、図７の上段の足場平面から、下段の図のように一気に立面に変わる。
【００２８】
また、図８に示すように、壁つなぎ平面から、選択メニューの壁つなぎ立面をクリックすると、選択メニューにおける「３：平面」で割付けを施し、「３：立面」を選択することで、平面の割付けのまま立面に変わる。これらの足場に関して、労働安全衛生規則（第１０章通路、足場等、第２節）に沿った規制の範囲内で設定されるものである。
【００２９】
次に、鉄骨システムでは、図９（Ａ），（Ｂ），（Ｃ）乃至図１１に示すように、１つの部品に鉄骨建方計画図を画く上で必要な編集機能や部材を全て組み込んであり、その部材を変化させて、平面の割付けのまま立面に変化させている。図９では、部品をクリックして選択メニューを出し、例えば、４コーナーを選択して、部品を柱のコーナーに持って行く、次のスパンまで前記部品を点線の範囲で移動させる。
【００３０】
図１０（Ａ）に示すように、前記部品の平面を吊足場設置高さに複写して、選択メニューを出して、立面の「親綱＋手摺柱」を選択する。図１０（Ｂ）に示すように、水平ラッセルネット５の調整と、転倒防止ワイヤー６を調整する。更に、図１１に示すように、立面を複写したので、選択メニューで文字を選択し、前記立面に文字を持って行く。これらの鉄骨建方システムにおいても、労働安全衛生規則（第８章の２、建築物の鉄骨の組立て等の作業における危険の防止）に沿った規制の範囲内で設定される。
【００３１】
次に、重機システムでは、図１２乃至図１３に示すように、重機の平面、立面、定格荷重表などが、部品のデーターとして登録されている。クローラー、ラフターなど重機ごとにまとめて、選択メニューで変更することができる。例えば、図１２（Ａ），（Ｂ）に示すように、ラフタークレーンの平面を配置して、そのアウトリガーを、最大、中間、最少張出しの３段階で片方ずつ変更が可能である。また、ブームの長さは可動域で変更することができ、平面で「ブーム＋運転台」は、３６０°自在に回転させることができる。
【００３２】
更に、図１３に示すように、ラフタークレーンの平面を立面に複写し、選択メニューを出して、例えば、「５０ｔ、ラフター、立面＋ジブ」を選択して、更に、主ブームとジブの長さ・角度を任意に変更し、選択メニューを出してタイヤ部の正面・側面の変更し、アウトリガーは、平面の設定の通りになる。その後、立面を複写して、選択メニューから「５０ｔラフター、定格荷重表」を選択する。それにより、作業半径とブームの長さによる荷重が、労働安全衛生規則（第２章建設機械等）に沿った規制の範囲内で設定される。
【００３３】
次に、型枠支保工システムでは、梁、スラブの在来サポート、足場＋サポートの平立面、割付けのまま選択メニューから変更ができて、梁、壁の、どんなサイズでも簡単に描くことができる。例えば、図１４（Ａ）に示すように、梁８周りの型枠をモニタに出して、梁８のサイズに合わせて伸ばし、スラブ下の堰板長さを変更し、縦桟木の有無を指定し、その縦桟木によってセパレータの長さを変更し、該セパレータの本数、鋼管、単管の変更を設定する。図１４（Ｂ）に示すように、選択メニューから「壁、６０角鋼管」を選択し、壁のサイズに合わせて、スラズ下の堰板の長さを変更し、セパレータを複写して鋼管、単管の種類を変更して設定する。
【００３４】
また、図１５に示すように、梁、スラブの在来サポートの梁平面の作図で、選択メニューからクリックして、サポート、根太の本数を変更し、左右の間隔を変更し、大引きのピッチを変更し、サポートを複写して、その端部を移動させる。また、図１６に示すように、スラブ平面の作図では、選択メニューからクリックして、根太、大引き、サポートのそれぞれのピッチを変更して、これらを複写し、サポート端部の移動を行って平面を作図する。
【００３５】
そして、図１７（Ａ）に示すように、立面図に割付けた平面を複写して、選択メニューから立面を選択する。図１７（Ｂ）に示すように、梁８、床７（スラブ）下までの高さ調整し、補助サポートが必要なら上にドラッグし、水平つなぎの複写を行う。これらも、労働安全衛生規則（第３章、型枠支保工）の規則に沿って設定されるものである。
【００３６】
次に、掘削システムは、一つの部品に掘削計画図を描く上で必要な編集機能や部材を全て組み込んであり、それを変化させることで平面、立面を完成させることができる。例えば、図１８に示すように、今までの「掘削角度４５°、６０°」を選択して掘削の高低差を選択メニュー（図示せず）から選択することで、左側の図のように、基礎９や地中梁の掘削深さの図に変わる。よって、図１８の左側で示すように、面倒な計算をする必要がない。
【００３７】
そして、図１９の左側の図に示すように、部品の基点を基礎の左上コーナーに配置する。選択メニューから、基礎からの離れ、片側が山留め、角度、立面を選択することができる。また、横並び４つの選択メニューで「高低差（例えば、１５００）」を選択し、ＸＹ方向の基礎サイズにドラッグする。右上のＧＬ-５００の掘削深さを１０００に指定する。地中梁の掘削ラインに合わせる。掘削マークの移動を行う。図１９の右側の図のようになる。これらの掘削システムにおいても、労働安全衛生規則（第６章、掘削作業等における危険の防止）に沿った規制の範囲内で設定される。
【００３８】
更に、図２０（Ａ）に示すように、基礎掘削立面を画くには、立面に部品を複写して、選択メニューを出して、「立面、Ｘ方向：４５°（オープンカット）」を選択する。すると、図２０（Ｂ）に示すように、手摺を消して、符号丸５で示す地中梁の高さに合わせる。これで、図２０（Ｂ）において、上図から下図の立面図になる。
【産業上の利用可能性】
【００３９】
本発明に係る仮設計画図支援システムによれば、仮設計画図を簡易且つ容易に作成することができるので、労働安全衛生規則に沿った各種の仮設計画図の作成に適用できるものである。
【符号の説明】
【００４０】
１          仮設計画図支援システム、        １ａ        制御装置、
１ｂ        部材データ、                    １ｃ        入力装置、
１ｄ        印刷装置、
２          部品、
３          建物、
４          基点、
５          水平ラッセルネッット、
６          転倒防止ワイヤー、
７          床、
８          梁、
９          基礎。
【図１−Ａ】
2018018247.tif 000003
【図１−Ｂ】
2018018247.tif 000004
【図２】
2018018247.tif 000005
【図３】
2018018247.tif 000006
【図４】
2018018247.tif 000007
【図５】
2018018247.tif 000008
【図６】
2018018247.tif 000009
【図７】
2018018247.tif 000010
【図８】
2018018247.tif 000011
【図９】
2018018247.tif 000012
【図１０】
2018018247.tif 000013
【図１１】
2018018247.tif 000014
【図１２】
2018018247.tif 000015
【図１３】
2018018247.tif 000016
【図１４】
2018018247.tif 000017
【図１５】
2018018247.tif 000018
【図１６】
2018018247.tif 000019
【図１７】
2018018247.tif 000020
【図１８】
2018018247.tif 000021
【図１９】
2018018247.tif 000022
【図２０】
2018018247.tif 000023